(57)【要約】【課題】複数の無線通信システムで動作可能で従来技術に比較して構成が簡単で製造コストを軽減できる。【解決手段】Ａ／Ｄ変換器２はアンテナ素子１により受信された無線信号を無線デジタル信号にＡ／Ｄ変換する。広帯域無線回路９Ａはアンテナ素子１により受信された複数の無線通信システムの無線信号をＩＦ信号に周波数変換し、信号処理部６は広帯域無線回路９ＡからのＩＦ信号に対して複数の無線通信システムに対応する信号処理を実行する。無線デジタル信号判定部３ａは無線デジタル信号と参照信号メモリ７に格納された複数の無線通信システムに対応する複数の参照信号とを比較して受信された無線信号がいずれの無線通信システムの無線信号であるかを判定し、判定された無線通信システムの情報を信号処理部６に出力する。信号処理部６は広帯域無線回路９Ａから出力されるＩＦ信号に対して判定された無線通信システムに対応する信号処理を実行する。【選択図】図４
2005142892.tif 000002
【特許請求の範囲】
【請求項１】
複数の無線通信システムにおいて動作可能なマルチモード無線通信装置において、
無線信号を受信するアンテナ素子と、
上記アンテナ素子によって受信された無線信号を無線デジタル信号にＡ／Ｄ変換するＡ／Ｄ変換手段と、
上記複数の無線通信システムに対応する複数の参照信号を格納する格納手段と、
上記アンテナ素子によって受信された複数の無線通信システムの無線信号を所定の周波数の低域変換信号に周波数変換して出力する無線回路手段と、
上記無線回路手段から出力される低域変換信号に対して上記複数の無線通信システムに対応する所定の信号処理を実行して出力する信号処理手段と、
上記Ａ／Ｄ変換手段から出力される無線デジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報を上記信号処理手段に出力する判定手段とを備え、
上記信号処理手段は、上記無線回路手段から出力される低域変換信号に対して、上記判定された無線通信システムの情報に対応する信号処理を実行して出力することを特徴とするマルチモード無線通信装置。
【請求項２】
上記無線回路手段は、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線回路を選択的に上記アンテナ素子及び上記信号処理手段に接続するスイッチ手段とを備え、
上記信号処理手段は、上記判定された無線通信システムの情報に対応する無線回路を選択するように上記スイッチ手段を制御することを特徴とする請求項１記載のマルチモード無線通信装置。
【請求項３】
複数の無線通信システムにおいて動作可能なマルチモード無線通信装置において、
無線信号を受信するアンテナ素子と、
上記アンテナ素子によって受信された複数の無線通信システムの無線信号を所定の周波数の低域変換信号に周波数変換して出力する無線回路手段と、
上記無線回路手段から出力される低域変換信号を低域変換デジタル信号にＡ／Ｄ変換するＡ／Ｄ変換手段と、
上記複数の無線通信システムに対応する複数の参照信号を格納する格納手段と、
上記無線回路手段から出力される低域変換信号に対して上記複数の無線通信システムに対応する所定の信号処理を実行して出力する信号処理手段と、
上記Ａ／Ｄ変換手段から出力される低域変換デジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報を上記信号処理手段に出力する判定手段とを備え、
上記信号処理手段は、上記無線回路手段から出力される低域変換信号に対して、上記判定された無線通信システムの情報に対応する信号処理を実行して出力することを特徴とするマルチモード無線通信装置。
【請求項４】
上記無線回路手段は、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線回路を選択的に上記アンテナ素子及び上記信号処理手段に接続するスイッチ手段とを備え、
上記信号処理手段は、上記判定された無線通信システムの情報に対応する無線回路を選択するように上記スイッチ手段を制御することを特徴とする請求項３記載のマルチモード無線通信装置。
【請求項５】
複数の無線通信システムにおいて動作可能なマルチモード無線通信装置において、
無線信号を受信するアンテナ素子と、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線通信システムに対応して上記各無線回路の後段にそれぞれ設けられ、上記対応する無線回路からの低域変換信号に対して対応する無線通信システムの所定の信号処理を実行して処理後のベースバンド信号を出力する複数の信号処理部と、
上記アンテナ素子を上記複数の無線回路のうちの１つに接続する一方、上記マルチモード無線通信装置の出力端子を上記複数の信号処理部のうちの１つに接続するスイッチ手段と、
上記各信号処理部からそれぞれ出力される複数のベースバンド信号をベースバンドデジタル信号にＡ／Ｄ変換するＡ／Ｄ変換手段と、
上記複数の無線通信システムに対応する複数の参照信号を格納する格納手段と、
上記Ａ／Ｄ変換手段から出力されるベースバンドデジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報に基づいて、当該無線通信システムに対応する無線回路及び信号処理部を選択的に接続するように上記スイッチ手段を制御する判定手段とを備えたことを特徴とするマルチモード無線通信装置。
【請求項６】
複数の無線通信システムにおいて動作可能なマルチモード無線通信装置において、
無線信号を受信するアンテナ素子と、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線通信システムに対応して上記各無線回路の後段にそれぞれ設けられ、上記対応する無線回路からの低域変換信号に対して対応する無線通信システムの所定の信号処理を実行して処理後のベースバンド信号を出力する複数の信号処理部と、
上記各信号処理部からそれぞれ出力される複数のベースバンド信号をベースバンドデジタル信号にＡ／Ｄ変換するＡ／Ｄ変換手段と、
上記アンテナ素子を上記複数の無線回路のうちの１つに接続する一方、上記Ａ／Ｄ変換手段を上記複数の信号処理部のうちの１つに接続するスイッチ手段と、
上記複数の無線通信システムに対応する複数の参照信号を格納する格納手段と、
上記Ａ／Ｄ変換手段から出力されるベースバンドデジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報に基づいて、当該無線通信システムに対応する無線回路及び信号処理部を選択的に接続するように上記スイッチ手段を制御する判定手段とを備えたことを特徴とするマルチモード無線通信装置。
【請求項７】
上記無線回路手段と上記信号処理部とを一体化してなるデジタル信号処理回路を備えたことを特徴とする請求項１記載のマルチモード無線通信装置。
【請求項８】
上記信号処理部に代えて、上記Ａ／Ｄ変換手段からのデジタル低域変換信号に対してデジタル信号処理で対応する無線通信システムの所定の信号処理を実行するデジタル信号処理回路を備えたことを特徴とする請求項３記載のマルチモード無線通信装置。
【請求項９】
上記信号処理部に代えて、上記Ａ／Ｄ変換手段からのデジタル低域変換信号に対してデジタル信号処理で対応する無線通信システムの所定の信号処理を実行するデジタル信号処理回路を備えたことを特徴とする請求項４記載のマルチモード無線通信装置。
【請求項１０】
上記スイッチ手段に代えて、信号分配器と信号合成器とを備え、
上記信号分配器は、上記アンテナ素子により受信された無線信号を分配して、分配後の複数の無線信号をそれぞれ上記複数の無線回路に出力し、
上記信号合成器は、上記複数の無線回路から出力される低域変換信号を合成して、合成後の低域変換信号を上記Ａ／Ｄ変換手段に出力することを特徴とする請求項９記載のマルチモード無線通信装置。
【請求項１１】
上記Ａ／Ｄ変換手段と上記判定手段との間に挿入して設けられ、上記Ａ／Ｄ変換手段から出力される信号をスペクトラム信号にフーリエ変換して上記判定手段に出力するフーリエ変換手段をさらに備え、
上記格納手段は上記複数の無線通信システムにそれぞれ対応する複数のスペクトラム信号を格納し、
上記判定手段は上記フーリエ変換手段から出力されるスペクトラム信号と、上記格納手段に格納された複数の無線通信システムに対応する複数のスペクトラム信号とをそれぞれ比較して、上記アンテナ素子によって受信された無線信号が上記複数の無線通信システムのうちのいずれの無線通信システムの無線信号であるかを判定することを特徴とする請求項１乃至１０のうちの１つに記載のマルチモード無線通信装置。
【請求項１２】
上記各無線回路は、
上記アンテナ素子により受信された無線信号を帯域通過ろ波して出力する第１の帯域通過フィルタと、
上記帯域通過フィルタから出力される無線信号を増幅する高周波増幅器と、
所定の局部発振信号を発生する局部発振器と、
上記高周波増幅器から出力される無線信号と上記局部発振器からの局部発振信号とを混合することにより所定の低域変換信号に周波数変換して出力する混合器と、
上記混合器から出力される低域変換信号を帯域通過ろ波して出力する第２の帯域通過フィルタとを備えたことを特徴とする請求項２、４、５、６、９又は１０記載のマルチモード無線通信装置。
【請求項１３】
上記局部発振器から出力される局部発振信号を分配して上記各無線回路の混合器に出力する分配器を備えたことを特徴とする請求項１２記載のマルチモード無線通信装置。
【請求項１４】
上記デジタル信号処理回路は、
上記Ａ／Ｄ変換手段から出力される無線デジタル信号を帯域通過ろ波して出力するデジタル帯域通過フィルタと、
上記デジタル帯域通過フィルタから出力される無線デジタル信号を増幅して出力する増幅器と、
所定の局部発振信号を発生する局部発振器と、
上記増幅器から出力される無線デジタル信号を、上記局部発振器からの局部発振信号と混合することにより低域変換デジタル信号に周波数変換して出力する混合器と、
上記混合器から出力される低域変換デジタル信号をデジタル復調して復調後のベースバンドデジタル信号を出力するデジタル復調器とを備えたことを特徴とする請求項７記載のマルチモード無線通信装置。
【請求項１５】
上記アンテナ素子に代えて複数のアンテナ素子を備え、
上記複数のアンテナ素子により受信された各無線信号の電力値を検出し、最大の電力値を有する無線信号を受信したアンテナ素子を選択し、上記選択したアンテナ素子により受信した無線信号を出力する別のスイッチ手段を備えたことを特徴とする請求項１乃至１４のうちの１つに記載のマルチモード無線通信装置。
【請求項１６】
上記アンテナ素子に代えて複数のアンテナ素子を備え、
上記複数のアンテナにより受信された各無線信号に対してそれぞれ所定の増幅度で増幅しかつ所定の移相量だけ移相して出力する複数の可変増幅移相手段と、
上記各可変増幅移相手段から出力される各無線信号を同相合成して合成後の無線信号を出力する信号合成器と、
上記複数のアンテナ素子により受信された各無線信号を検波して各無線信号の振幅と位相を検出し、上記信号合成器から出力される無線信号が最大比合成されるように、上記複数の可変増幅移相手段の増幅度及び移相量を制御する制御手段とを備えたことを特徴とする請求項１乃至１４のうちの１つに記載のマルチモード無線通信装置。
【請求項１７】
上記アンテナ素子に代えて複数のアンテナ素子を備え、
上記複数のアンテナにより受信された各無線信号に対してそれぞれ所定の増幅度で増幅しかつ所定の移相量だけ移相して出力する複数の可変増幅移相手段と、
上記各可変増幅移相手段から出力される各無線信号を同相合成して合成後の無線信号を出力する信号合成器と、
上記信号合成器から出力される合成後の無線信号が実質的に最大となるように、上記複数の可変増幅移相手段の増幅度及び移相量を適応制御する制御手段とを備えたことを特徴とする請求項１乃至１４のうちの１つに記載のマルチモード無線通信装置。
【請求項１８】
上記格納手段は、参照信号を書き換える機能を備えたことを特徴とする請求項１乃至１７のうちの１つに記載のマルチモード無線通信装置。
【請求項１９】
デジタル信号処理回路は、復調回路を含むベースバンド信号処理のプログラムを含むプロセッサにより構成され、上記ベースバンド信号処理のプログラムを書き換える機能を備えたことを特徴とする請求項７又は１４記載のマルチモード無線通信装置。
【発明の詳細な説明】
【技術分野】
【０００１】
本発明は、複数の無線通信システムにおいて動作可能であって、複数の無線通信モードを切り換えて無線通信を行うマルチモード無線通信装置に関する。
【背景技術】
【０００２】
図２４は、特許文献１において開示された従来技術に係るマルチモード無線通信コンバータ１３０の構成を示すブロック図であり、すなわち、図２４は複数の異なる無線通信システムにおいて利用できるようにするマルチモード無線通信コンバータを用いたマルチモード無線通信装置の従来技術の一例を示したものである。
【０００３】
図２４において、本実施形態のマルチモード無線通信コンバータ１３０は、対基地局送受信部１２１と、対端末送受信部１２２とを備えている。対基地局送受信部１２１は、複数のアンテナ（ＡＮＴ１，ＡＮＴ２，…，ＡＮＴｎ）１０１と、その複数のアンテナ１０１のそれぞれに対応して設けられたデュプレクサ１０２と、複数のＶＣＯ１０３と、複数のＶＣＯ１０３を切り換えるシンセサイザ１０４と、受信ミキサ（周波数変換器）１０５と、ソフトウェアメモリ１０７と、内部メモリ１０８と、内部メモリ１０８に格納され複数の通信方式に対応して設けられた複数の変復調ソフト１０９（ソフトウエア１，２，…，ｎ）と、制御部１１０と、変調部１１１と、送信ミキサ１１２とを有している。対端末送受信部１２２は、変調部１１３と、受信ミキサ１１４と、シンセサイザ１１５と、アンテナ１１６と、デュプレクサ１１７と、送信ミキサ１１８と、復調部１１９とを備えている。
【０００４】
以上のように構成されたマルチモード無線通信コンバータ１３０によれば、基地局との間で選択可能な複数又はマルチバンドのアンテナ１０１を用いて信号の送受信を行い、複数の通信システムから選択された前記基地局との間の通信システムに対応する発振周波数を用いて、第１の入力信号の周波数変換を行う受信ミキサ１０５及び送信ミキサ１１２と、第２の入力信号を複数の通信システムから選択された前記基地局との間の通信システムに対応するように変復調する変調部１１１及び復調部１０６と、第３の入力信号を携帯端末１２０との間の特定通信システムに対応するように変復調する変調部１１３及び復調部１１９とを備えている。すなわち、１２１は基地局との送受信部であり、１２２は端末との送受信部であり、当該マルチモード無線通信コンバータは複数の無線通信システムの基地局と従来の携帯無線機で使用できるようにするための変換器である。
【０００５】
以上のように構成することにより、現有の通信端末をそのままの状態で、異なる無線通信システムにおいて利用することができる。
【０００６】
【特許文献１】特開２０００−２６９８４８公報。
【発明の開示】
【発明が解決しようとする課題】
【０００７】
しかしながら、図２４に示す従来技術に係るマルチモード無線通信コンバータ１３０には次のような問題があった。
【０００８】
上述のように従来技術に係るマルチモード無線通信コンバータ１３０では、現有の通信端末を利用して様々な無線通信システムを利用することは可能であるが、マルチモードコンバータという中継／変換器が必要であり、システムのコストが多大にかかるという欠点があった。また、基本的には可能な技術であるが、現有の通信端末よりも非常に早い伝送速度の無線通信システムを利用しようとした場合に、通信端末にデータを伝送する際に時間がかかりすぎ、リアルタイムでの通信は不可能である。従って、無線通信システムの伝送速度によって通信時間が変化するという問題点があった。
【０００９】
本発明の目的は以上の問題点を解決し、複数の無線通信システムにおいて動作可能であって、複数の無線通信モードを切り換えて無線通信を行うマルチモード無線通信装置において、従来技術に比較して構成が簡単であり、製造コストを軽減できるマルチモード無線通信装置を提供することにある。
【課題を解決するための手段】
【００１０】
第１の発明に係るマルチモード無線通信装置は、複数の無線通信システムにおいて動作可能なマルチモード無線通信装置において、
無線信号を受信するアンテナ素子と、
上記アンテナ素子によって受信された無線信号を無線デジタル信号にＡ／Ｄ変換するＡ／Ｄ変換手段と、
上記複数の無線通信システムに対応する複数の参照信号を格納する格納手段と、
上記アンテナ素子によって受信された複数の無線通信システムの無線信号を所定の周波数の低域変換信号に周波数変換して出力する無線回路手段と、
上記無線回路手段から出力される低域変換信号に対して上記複数の無線通信システムに対応する所定の信号処理を実行して出力する信号処理手段と、
上記Ａ／Ｄ変換手段から出力される無線デジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報を上記信号処理手段に出力する判定手段とを備え、
上記信号処理手段は、上記無線回路手段から出力される低域変換信号に対して、上記判定された無線通信システムの情報に対応する信号処理を実行して出力することを特徴とする。
【００１１】
上記マルチモード無線通信装置において、上記無線回路手段は、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線回路を選択的に上記アンテナ素子及び上記信号処理手段に接続するスイッチ手段とを備え、
上記信号処理手段は、上記判定された無線通信システムの情報に対応する無線回路を選択するように上記スイッチ手段を制御することを特徴とする。
【００１２】
第２の発明に係るマルチモード無線通信装置は、複数の無線通信システムにおいて動作可能なマルチモード無線通信装置において、
無線信号を受信するアンテナ素子と、
上記アンテナ素子によって受信された複数の無線通信システムの無線信号を所定の周波数の低域変換信号に周波数変換して出力する無線回路手段と、
上記無線回路手段から出力される低域変換信号を低域変換デジタル信号にＡ／Ｄ変換するＡ／Ｄ変換手段と、
上記複数の無線通信システムに対応する複数の参照信号を格納する格納手段と、
上記無線回路手段から出力される低域変換信号に対して上記複数の無線通信システムに対応する所定の信号処理を実行して出力する信号処理手段と、
上記Ａ／Ｄ変換手段から出力される低域変換デジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報を上記信号処理手段に出力する判定手段とを備え、
上記信号処理手段は、上記無線回路手段から出力される低域変換信号に対して、上記判定された無線通信システムの情報に対応する信号処理を実行して出力することを特徴とする。
【００１３】
上記マルチモード無線通信装置において、上記無線回路手段は、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線回路を選択的に上記アンテナ素子及び上記信号処理手段に接続するスイッチ手段とを備え、
上記信号処理手段は、上記判定された無線通信システムの情報に対応する無線回路を選択するように上記スイッチ手段を制御することを特徴とする。
【００１４】
第３の発明に係るマルチモード無線通信装置は、複数の無線通信システムにおいて動作可能なマルチモード無線通信装置において、
無線信号を受信するアンテナ素子と、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線通信システムに対応して上記各無線回路の後段にそれぞれ設けられ、上記対応する無線回路からの低域変換信号に対して対応する無線通信システムの所定の信号処理を実行して処理後のベースバンド信号を出力する複数の信号処理部と、
上記アンテナ素子を上記複数の無線回路のうちの１つに接続する一方、上記マルチモード無線通信装置の出力端子を上記複数の信号処理部のうちの１つに接続するスイッチ手段と、
上記各信号処理部からそれぞれ出力される複数のベースバンド信号をベースバンドデジタル信号にＡ／Ｄ変換するＡ／Ｄ変換手段と、
上記複数の無線通信システムに対応する複数の参照信号を格納する格納手段と、
上記Ａ／Ｄ変換手段から出力されるベースバンドデジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報に基づいて、当該無線通信システムに対応する無線回路及び信号処理部を選択的に接続するように上記スイッチ手段を制御する判定手段とを備えたことを特徴とする。
【００１５】
第４の発明に係るマルチモード無線通信装置は、複数の無線通信システムにおいて動作可能なマルチモード無線通信装置において、
無線信号を受信するアンテナ素子と、
上記複数の無線通信システムに対応してそれぞれ設けられ、上記アンテナ素子によって受信された各対応する無線通信システムの無線信号を所定の周波数の低域変換信号に周波数変換して出力する複数の無線回路と、
上記複数の無線通信システムに対応して上記各無線回路の後段にそれぞれ設けられ、上記対応する無線回路からの低域変換信号に対して対応する無線通信システムの所定の信号処理を実行して処理後のベースバンド信号を出力する複数の信号処理部と、
上記各信号処理部からそれぞれ出力される複数のベースバンド信号をベースバンドデジタル信号にＡ／Ｄ変換するＡ／Ｄ変換手段と、
上記アンテナ素子を上記複数の無線回路のうちの１つに接続する一方、上記Ａ／Ｄ変換手段を上記複数の信号処理部のうちの１つに接続するスイッチ手段と、
上記複数の無線通信システムに対応する複数の参照信号を格納する格納手段と、
上記Ａ／Ｄ変換手段から出力されるベースバンドデジタル信号と、上記格納手段に格納された複数の無線通信システムに対応する複数の参照信号とをそれぞれ比較して、上記アンテナ素子によって受信された無線信号が上記複数の無線通信システムのうちのいずれの無線通信システムの無線信号であるかを判定し、上記判定された無線通信システムの情報に基づいて、当該無線通信システムに対応する無線回路及び信号処理部を選択的に接続するように上記スイッチ手段を制御する判定手段とを備えたことを特徴とする。
【００１６】
上記マルチモード無線通信装置において、上記無線回路手段と上記信号処理部とを一体化してなるデジタル信号処理回路を備えたことを特徴とする。
【００１７】
また、上記マルチモード無線通信装置において、上記信号処理部に代えて、上記Ａ／Ｄ変換手段からのデジタル低域変換信号に対してデジタル信号処理で対応する無線通信システムの所定の信号処理を実行するデジタル信号処理回路を備えたことを特徴とする。
【００１８】
さらに、上記マルチモード無線通信装置において、上記信号処理部に代えて、上記Ａ／Ｄ変換手段からのデジタル低域変換信号に対してデジタル信号処理で対応する無線通信システムの所定の信号処理を実行するデジタル信号処理回路を備えたことを特徴とする。
【００１９】
またさらに、上記マルチモード無線通信装置において、上記スイッチ手段に代えて、信号分配器と信号合成器とを備え、
上記信号分配器は、上記アンテナ素子により受信された無線信号を分配して、分配後の複数の無線信号をそれぞれ上記複数の無線回路に出力し、
上記信号合成器は、上記複数の無線回路から出力される低域変換信号を合成して、合成後の低域変換信号を上記Ａ／Ｄ変換手段に出力することを特徴とする。
【００２０】
上記マルチモード無線通信装置において、上記Ａ／Ｄ変換手段と上記判定手段との間に挿入して設けられ、上記Ａ／Ｄ変換手段から出力される信号をスペクトラム信号にフーリエ変換して上記判定手段に出力するフーリエ変換手段をさらに備え、
上記格納手段は上記複数の無線通信システムにそれぞれ対応する複数のスペクトラム信号を格納し、
上記判定手段は上記フーリエ変換手段から出力されるスペクトラム信号と、上記格納手段に格納された複数の無線通信システムに対応する複数のスペクトラム信号とをそれぞれ比較して、上記アンテナ素子によって受信された無線信号が上記複数の無線通信システムのうちのいずれの無線通信システムの無線信号であるかを判定することを特徴とする。
【００２１】
また、上記マルチモード無線通信装置において、上記各無線回路は、
上記アンテナ素子により受信された無線信号を帯域通過ろ波して出力する第１の帯域通過フィルタと、
上記帯域通過フィルタから出力される無線信号を増幅する高周波増幅器と、
所定の局部発振信号を発生する局部発振器と、
上記高周波増幅器から出力される無線信号と上記局部発振器からの局部発振信号とを混合することにより所定の低域変換信号に周波数変換して出力する混合器と、
上記混合器から出力される低域変換信号を帯域通過ろ波して出力する第２の帯域通過フィルタとを備えたことを特徴とする。
【００２２】
さらに、上記マルチモード無線通信装置において、上記局部発振器から出力される局部発振信号を分配して上記各無線回路の混合器に出力する分配器を備えたことを特徴とする。
【００２３】
またさらに、上記マルチモード無線通信装置において、上記デジタル信号処理回路は、
上記Ａ／Ｄ変換手段から出力される無線デジタル信号を帯域通過ろ波して出力するデジタル帯域通過フィルタと、
上記デジタル帯域通過フィルタから出力される無線デジタル信号を増幅して出力する増幅器と、
所定の局部発振信号を発生する局部発振器と、
上記増幅器から出力される無線デジタル信号を、上記局部発振器からの局部発振信号と混合することにより低域変換デジタル信号に周波数変換して出力する混合器と、
上記混合器から出力される低域変換デジタル信号をデジタル復調して復調後のベースバンドデジタル信号を出力するデジタル復調器とを備えたことを特徴とする。
【００２４】
上記マルチモード無線通信装置において、上記アンテナ素子に代えて複数のアンテナ素子を備え、
上記複数のアンテナ素子により受信された各無線信号の電力値を検出し、最大の電力値を有する無線信号を受信したアンテナ素子を選択し、上記選択したアンテナ素子により受信した無線信号を出力する別のスイッチ手段を備えたことを特徴とする。
【００２５】
また、上記マルチモード無線通信装置において、上記アンテナ素子に代えて複数のアンテナ素子を備え、
上記複数のアンテナにより受信された各無線信号に対してそれぞれ所定の増幅度で増幅しかつ所定の移相量だけ移相して出力する複数の可変増幅移相手段と、
上記各可変増幅移相手段から出力される各無線信号を同相合成して合成後の無線信号を出力する信号合成器と、
上記複数のアンテナ素子により受信された各無線信号を検波して各無線信号の振幅と位相を検出し、上記信号合成器から出力される無線信号が最大比合成されるように、上記複数の可変増幅移相手段の増幅度及び移相量を制御する制御手段とを備えたことを特徴とする。
【００２６】
さらに、上記マルチモード無線通信装置において、上記アンテナ素子に代えて複数のアンテナ素子を備え、
上記複数のアンテナにより受信された各無線信号に対してそれぞれ所定の増幅度で増幅しかつ所定の移相量だけ移相して出力する複数の可変増幅移相手段と、
上記各可変増幅移相手段から出力される各無線信号を同相合成して合成後の無線信号を出力する信号合成器と、
上記信号合成器から出力される合成後の無線信号が実質的に最大となるように、上記複数の可変増幅移相手段の増幅度及び移相量を適応制御する制御手段とを備えたことを特徴とする。
【００２７】
またさらに、上記マルチモード無線通信装置において、上記格納手段は、参照信号を書き換える機能を備えたことを特徴とする。
【００２８】
またさらに、上記マルチモード無線通信装置において、デジタル信号処理回路は、復調回路を含むベースバンド信号処理のプログラムを含むプロセッサにより構成され、上記ベースバンド信号処理のプログラムを書き換える機能を備えたことを特徴とする。
【発明の効果】
【００２９】
本発明に係るマルチモード無線通信装置によれば、複数の無線通信システムにおいて動作可能であって、複数の無線通信モードを切り換えて無線通信を行うマルチモード無線通信装置において、従来技術に比較して構成が簡単であり、製造コストを軽減できる。
【発明を実施するための最良の形態】
【００３０】
以下、本発明に係る実施形態について図面を参照して説明する。なお、同様の構成要素については同一の符号を付している。
【００３１】
＜第１の実施形態＞
図１は本発明の第１の実施形態に係るマルチモード無線通信装置の構成を示すブロック図であり、図２は図１の無線回路９ａ，９ｂ，９ｃ（総称して、符号９を付す。）の構成を示すブロック図である。
【００３２】
当該第１の実施形態では、図１において、一例として３つの異なる無線通信システムＭ１，Ｍ２，Ｍ３（３つの無線通信モード）が利用可能なマルチモード無線通信装置であり、３つの異なる無線通信システムＭ１，Ｍ２，Ｍ３では互いに異なる無線周波数を使用している。このため、入力される無線信号の周波数帯は互いに異なるが、出力される中間周波信号（以下、ＩＦ信号という。）は実質的に同一のＩＦ周波数を有する３つの無線回路９ａ，９ｂ，９ｃを備えており、３つの無線通信システムＭ１，Ｍ２，Ｍ３のうちのどの１つの無線通信システムを使用するかについて、受信した無線信号をアナログ／デジタル変換（以下、Ａ／Ｄ変換という。）した無線デジタル信号に基づき無線デジタル信号判定部３により判定して、当該無線デジタル信号判定部３による制御によりスイッチ４及び５を選択的に切り換えることにより、無線通信システム（無線通信モード）を選択的に切り換えることを特徴としている。
【００３３】
図１において、アンテナ素子１により受信された無線アナログ信号はスイッチ４の共通端子に入力されるとともに、Ａ／Ｄ変換器２に入力される。次いで、Ａ／Ｄ変換器２は入力される無線アナログ信号を無線デジタル信号にＡ／Ｄ変換した後、無線デジタル信号判定部３に出力する。さらに、無線デジタル信号判定部３は、詳細後述するように、入力される無線デジタル信号に基づいて、参照信号メモリ７に格納された３つの無線通信システムＭ１，Ｍ２，Ｍ３（無線通信モード）の参照信号を読み出して参照して、受信した無線信号がいずれの無線通信システムであるかを判定し、判定した無線通信システムに基づいてスイッチ４及び５の切り換えを制御するとともに、その情報を信号処理部６に出力する。なお、無線デジタル信号判定部３の無線通信システムの判定は好ましくは無線通信の開始に先立って行う。
【００３４】
図２の無線回路９において、スイッチ４からの無線アナログ信号は、高周波帯域通過フィルタ１０により対応する無線通信モードの所定の高周波帯域のみの信号を帯域通過ろ波された後、高周波増幅器１１により増幅された後、混合器１２に入力される。混合器１２は入力された無線アナログ信号と、局部発振器１３からの局部発振信号とを混合して所定のＩＦ信号（低域変換信号である。）に周波数変換（低域周波数変換）してＩＦ帯域通過フィルタ１４を介してスイッチ５に出力する。図２の無線回路９においては、１段での周波数変換回路を図示しているが、複数段の周波数変換回路であってもよい。
【００３５】
図３は図１の無線デジタル信号判定部３によって実行される無線デジタル信号判定処理を示すフローチャートであり、図３はその処理の一例を図示したものである。
【００３６】
まず、アンテナ素子１で受信された無線アナログ信号は、図１に示すように、標本化及び量子化を行うＡ／Ｄ変換器２により無線デジタル信号にＡ／Ｄ変換された後、無線デジタル信号判定部３に入力される（図３のステップＳ１）。ここで、Ａ／Ｄ変換器２における標本化周波数ｆｎは、本実施形態に係るマルチモード無線通信装置が取り扱う最高無線周波数ｆｍａｘの２倍以上の周波数であり、好ましくは、標本化周波数ｆｎは最高無線周波数ｆｍａｘの４倍以上である。一方、参照信号メモリ７には、３つの無線通信システムＭ１，Ｍ２，Ｍ３の無線信号の時間波形が記録されており、無線デジタル信号判定部３より参照される（図３のステップＳ２）。無線デジタル信号判定部３では、Ａ／Ｄ変換器２により量子化及び標本化されたＡ／Ｄ変換後の無線デジタル信号ｘ（ｔ）と、参照信号メモリ７に格納された参照信号（ｒ１（ｔ），ｒ２（ｔ），ｒ３（ｔ）：それぞれ無線通信システムＭ１，Ｍ２，Ｍ３の各参照信号）との比較を行う（図３のステップＳ３）。無線デジタル信号判定部３での比較の結果、無線デジタル信号ｘ（ｔ）と、参照信号ｒ１（ｔ），ｒ２（ｔ），ｒ３（ｔ）との残差の絶対値｜ｘ（ｔ）−ｒ（ｔ）｜が所定のしきい値Ｃ０以下であるときに（図３のステップＳ３でＹＥＳ）、受信した無線アナログ信号がそれに対応する無線通信システムにおける無線アナログ信号と判断し、その無線通信システムに対応した無線回路（９ａ，９ｂ，９ｃのうちの１つ）を、スイッチ４とスイッチ５によりそれぞれアンテナ素子１と信号処理部６との間に接続し（図３のステップＳ６）、さらに、判定された無線通信システムの情報を信号処理部６に伝達して無線通信システムに対応した復調処理等のベースバンド処理を行う（図３のステップＳ７）。
【００３７】
一方、上記残差の絶対値が上記しきい値Ｃ０を超えるとき（図３のステップＳ３でＮＯ）にすべての参照信号を取得していないとき（図３のステップＳ４でＮＯ）、無線デジタル信号判定部３は次の参照信号を取得し（図３のステップＳ２）無線デジタル信号ｘ（ｔ）との比較をさらに行う（図３のステップＳ３）。すなわち、図３の判定処理では、まず、参照信号ｒ１（ｔ）を参照信号メモリ７から読み出して残差の絶対値が上記しきい値Ｃ０以下にならない場合に、次の参照信号ｒ２（ｔ）を参照信号メモリ７から読み出して残差の絶対値を計算し、その残差の絶対値が上記しきい値以下にならない場合に、さらに、参照信号ｒ３（ｔ）を参照信号メモリ７から読み出して比較を行う。すべての参照信号について計算した残差の絶対値が上記しきい値以下にならないときは（図３のステップＳ４でＹＥＳ）、無線デジタル信号判定部３は、スイッチ４とスイッチ５を接点ｄ側に切り換えて、すべての無線回路９ａ，９ｂ，９ｃをアンテナ素子１及び信号処理部６から切断する（図３のステップＳ５）。
【００３８】
ここで、しきい値Ｃ０は無線通信システムと使用される環境により異なるが、例えば１０％（規格化した最大値に対して０．１）を選択することが好ましい。
【００３９】
なお、例えば、無線デジタル信号判定部３が複数の参照信号を参照信号メモリ７から取得可能で並列演算が可能なデジタル計算機である場合には、１度に判定することが可能になり無線システムの判定時間を短縮できる。
【００４０】
例えば、無線通信システムＭ１の電波が当該マルチモード無線通信装置に到来した場合、アンテナ素子１により受信した無線アナログ信号をＡ／Ｄ変換器２により無線デジタル信号（ｘ（ｔ））に変換する。無線デジタル信号判定部３により、ｘ（ｔ）と参照信号ｒ１（ｔ）、ｒ２（ｔ）、ｒ３（ｔ）と比較を行うと、ｒ１（ｔ）との残差がＣ０以下となる。このとき、無線デジタル信号判定部３により、スイッチ４とスイッチ５は無線回路９ａをアンテナ素子１と信号処理部６と接続し、信号処理部６では無線通信システムＭ１に対応した復調処理を実行して、受信した無線アナログ信号から復調された音声データや画像データなどが信号処理部６から外部回路に出力される。
【００４１】
アンテナ素子１で受信された無線アナログ信号の位相と振幅は、マルチモード無線通信装置と無線基地局（中継局も含む）の位置により異なる。さらに、マルチモード無線通信装置が動かない場合においても周囲環境の変化により、受信信号の位相と振幅は時間と共に変化する。これにより、無線デジタル信号判定部３に入力される無線デジタル信号の振幅と位相も時間と共に変化する。しかしながら、参照信号はすべての位相と振幅の参照信号を用意できるわけではない。すなわち、検出した無線デジタル信号の振幅と位相を参照信号にあわせる必要がある。そこで、無線デジタル信号判定部３においては、無線デジタル信号ｘ（ｔ）に、振幅と位相の成分を持ったウエイト（又は重み係数）ｗ（ｔ）を乗算する。このウエイトｗ（ｔ）を無線デジタル信号に掛けたものと参照信号との残差を参照信号ｒ（ｔ）と比較する。このとき残差ｅ（ｔ）は次式により得られる。好ましくは、参照信号ｒ（ｔ）と無線デジタル信号ｘ（ｔ）はそれぞれの最大値で規格化（それぞれの最大値は１）されていることが好ましい。これにより、計算による誤差や、無線デジタル信号判定部３のデジタル計算機にかかる負荷を軽減できる。
【００４２】
［数１］
ｅ（ｔ）＝ｒ（ｔ）−ｗ（ｔ）×ｘ（ｔ）      （式１）
【００４３】
ここで、ｅ（ｔ）は正又は負の値をとる。そこで、しきい値Ｃ０との比較の際には、次式に示すようにｅ（ｔ）の絶対値か、２乗した値（ｅ（ｔ））２との比較を行う。
【００４４】
［数２］
｜ｅ（ｔ）｜≦Ｃ０      （式２）
［数３］
（ｅ（ｔ））２≦（Ｃ０）２      （式３）
【００４５】
次に、ウエイトを求める方法について示す。ウエイトを求める方法にはいくつか方法があるが、ここでは、最急降下法（ＬＭＳ：Least Means Squares）を用いた例を示す。これは、式１により求めたｅ（ｔ）の２乗した値の最小値を漸化的（繰り返し計算）に求める方法である。すなわち、（ｍ＋１）回目の繰り返し計算により得られたウエイトｗ（ｔ，ｍ＋１）はｍ回目のウエイトｗ（ｔ，ｍ）を用いて次式により得られる。
【００４６】
［数４］
ｗ（ｔ，ｍ＋１）＝ｗ（ｔ，ｍ）＋ｕ×ｘ（ｔ）×ｅ（ｔ，ｍ）      （式４）
【００４７】
ここで、ｕはステップサイズと呼ばれ、ステップサイズｕが大きいとウエイトが最小値に収束する繰り返し計算回数が少なくなるという利点があるが、ステップサイズｕが大き過ぎると最小値付近で振動してしまうという欠点がある。従って、ステップサイズｕの選定にはシステムにより十分注意する必要がある。逆に、ステップサイズｕを小さくすることによりウエイトは安定して最小値に収束する。しかしながら、繰り返し計算回数は増加する。繰り返し計算数が増加するとウエイトを求めるのに時間がかかる。仮にウエイト算出時間が無線システムの切り換え時間よりも遅い場合には、このウエイトによる無線システムの判定は不可能となる。しかしながら、一般に、無線通信システムＭ１，Ｍ２，Ｍ３の切り換えは頻繁に起こらないことが予想されるため、ステップサイズｕを決定する場合にはできるだけ高速かつ安定な収束の条件を選ぶ必要がある。また、残差ｅ（ｔ，ｍ）は次式により定義される。
【００４８】
［数５］
ｅ（ｔ，ｍ）＝ｒ（ｔ）−ｗ（ｔ，ｍ）×ｘ（ｔ）      （式５）
【００４９】
この式５の残差ｅ（ｔ，ｍ）を用いて式２又は式３の条件を満足した場合に受信した無線アナログ信号がどの無線通信システムかを判定することができる。ウエイトを求めるための最大繰り返し計算回数Ｎｍａｘは、ウエイト算出時間が無線システムの切り換え時間よりも遅くならないように設定する。
【００５０】
ここでは、一例として最急降下法に基づく無線通信システムの判定法を説明したが、本発明はこれに限らず、例えば、より高速で判定が可能なＲＬＳ（Recursive Least-Squares）方法、ＳＭＩ（Sample Matrix inversion）方法を用いることも可能である。この方法により判定は早くなるが、無線デジタル信号判定部３における計算が複雑になる。
【００５１】
以上に示したように、本実施形態のマルチモード無線通信装置によれば、簡単な構成で複数の無線通信システムを切り換え可能な無線機を実現することができる。また、スイッチ４とスイッチ５に無線回路９が連動している場合、３つの無線回路を常に動作させる必要が無いために消費電力の軽減効果もある。
【００５２】
なお、本実施形態においては、３つの無線通信システムＭ１，Ｍ２，Ｍ３と、３つの無線回路９ａ，９ｂ，９ｃがある場合を例に挙げて説明したが、本発明はこれに限らず、例えば、マルチモード無線通信装置が利用する無線通信システムが２つの場合、又は４つ以上の複数の場合も可能である。
【００５３】
なお、本実施形態においては、図３に示すように、順次参照信号ｒ（ｔ）を参照信号メモリ７から読み出して取得し無線通信システムを判定する手順を例に挙げて説明したが、本発明はこれに限らず、例えば、並列比較が可能な無線デジタル信号判定部３を用いることにより、一度にすべての無線通信システムとの判定が可能になる。この場合、図３の無線デジタル信号判定処理においてステップＳ４からステップＳ２への手順が無くなる。この構成にすることにより、判定の高速化が可能になり、リアルタイムの制御が可能になる。
【００５４】
図４は、１の実施形態の第１の変形例に係るマルチモード無線通信装置の構成を示すブロック図である。上述の第１の実施形態においては、３つの無線通信システムＭ１，Ｍ２，Ｍ３と、３つの無線回路９ａ，９ｂ，９ｃがある場合を例に挙げて説明した。しかしながら、本発明はこれに限らず、例えば、マルチモード無線通信装置が利用する無線通信システムが複数ある場合においても、周波数が同じ場合や、周波数が異なる複数の無線通信システムの場合においても広帯域に渡り動作する広帯域無線回路９Ａを使用できる場合、図４に示すように、スイッチ４及び５を設けず、１つの広帯域無線回路９Ａを設ける。ここで、無線デジタル信号判定部３ａはスイッチ４及び５を制御する必要がないことを除いて無線デジタル信号判定部３と同様に動作する。この構成にすることにより、スイッチ４とスイッチ５が不要になり、部品点数の削減により装置を小型化できる。また、スイッチ４，５の動作電力も不要となり消費電力の削減の効果もある。
【００５５】
図５は、第１の実施形態の第２の変形例に係るマルチモード無線通信装置の構成を示すブロック図である。上述の第１の実施形態においては、アナログの無線回路９ａ，９ｂ，９ｃにより構成されたマルチモード無線通信装置を例に挙げて説明した。しかしながら、本発明はこれに限らず、例えば、図５に示すように、アンテナ素子１から受信した信号をＡ／Ｄ変換器２により無線デジタル信号に変換した信号をデジタル信号処理回路２２により直接にデジタル信号処理してもよい。すなわち、デジタル信号処理回路２２は、図４の広帯域無線回路９Ａと信号処理部６とを一体化して構成できる。ここで、無線デジタル信号判定部３ｂはスイッチ４及び５を制御する必要がなくかつデジタル信号処理回路２２を同様に制御することを除いて無線デジタル信号判定部３と同様に動作する。
【００５６】
図６は図５のデジタル信号処理回路２２の構成を示すブロック図である。図６において、Ａ／Ｄ変換器２からの無線デジタル信号はデジタル帯域通過フィルタ２３に入力される。デジタル帯域通過フィルタ２３は、例えば、ＦＩＲフィルタ（Finite Impulse Response）やＩＩＲフィルタ（Infinite Impulse Response）等にて構成され、入力される無線デジタル信号に対して、高周波帯域通過フィルタ１０と同様のろ波処理をデジタル処理で実行して、ろ波処理後の無線デジタル信号を高周波増幅器２４を介して混合器２５に出力する。混合器２５は入力された無線デジタル信号と、局部発振器２７からの局部発振信号とを混合して所定のＩＦ信号に周波数変換した後、デジタル復調器２６に出力する。デジタル復調器２６は入力されるＩＦ信号をデジタル復調して出力する。以上のように構成することにより、回路規模の小型化により無線通信装置を小型化できる。
【００５７】
図７は図５のマルチモード無線通信装置の一部回路の変形の構成を示すブロック図である。上述の第１の実施形態においては、アンテナ素子１で受信した信号をＡ／Ｄ変換器２により無線デジタル信号に変換し、無線信号の時間波形により無線デジタル信号判定部３による判定を行っている。しかしながら、本発明はこれに限らず、例えば、図７に示すように、Ａ／Ｄ変換器２から出力された時間波形の無線デジタル信号を離散フーリエ変換器２７により周波数領域のスペクトラムに離散フーリエ変換して、無線デジタル信号判定部３ｃにより無線システムを判定する構成にすることも可能である。このとき、参照信号メモリ７には、無線システムＭ１，Ｍ２，Ｍ３毎の参照信号のスペクトラムが格納されている。また、無線デジタル信号判定部３ｃはスイッチ４及び５を制御する必要がなく、デジタル信号処理回路２２を同様に制御し、周波数領域のスペクトラムに基づいて無線通信システムＭ１，Ｍ２，Ｍ３を判定することを除いて無線デジタル信号判定部３と同様に動作する。以上のように構成することにより、当該マルチモード無線通信装置で利用可能な複数の無線通信システムが異なる周波数を使用している場合に判定がきわめて容易になるという利点がある。
【００５８】
図８は、図６のデジタル信号処理回路２２の一部回路の変形例の構成を示すブロック図である。上述の第１の実施形態においては、各無線回路９ａ，９ｂ，９ｃ毎に混合器１２と局部発振器１３を備えた構成にしている。しかしながら、本発明はこれに限らず、例えば、図８に示すように信号分配器２８により１つの局部発振器１３からの局部発振信号を分配して使用してもよい。この場合、局部発振器１３の数を減らすことが可能になり消費電力の低減効果がある。また、すべての無線回路９ａ，９ｂ，９ｃの各混合器１２へ入力される局部発振信号を１つの局部発振器１３からの局部発振信号を分配する必要はなく、場合によっては２つの混合器１３への入力信号のみを１つの局部発振器１３からの局部発振信号を分配して使用してもよい。
【００５９】
さらに、図１における信号処理部６の前段においてＡ／Ｄ変換器を備え、図５のデジタル信号処理回路２２と同様に、デジタル信号処理により信号処理を行うように構成してもよい。以上のように構成することにより、回路全体のＩＣ化が可能になりマルチモード無線通信装置の小型化、低下価格化が可能になる。
【００６０】
＜第２の実施形態＞
図９は本発明の第２の実施形態に係るマルチモード無線通信装置の構成を示すブロック図である。第２の実施形態に係るマルチモード無線通信装置は、図１のマルチモード無線通信装置に比較して、以下の点が異なる。
（１）無線アナログ信号をＡ／Ｄ変換するＡ／Ｄ変換器２に代えて、無線回路９ａ，９ｂ，９ｃからのＩＦ信号をＡ／Ｄ変換するＡ／Ｄ変換器２Ａを設けた。
（２）無線デジタル信号に対応する参照信号を格納する参照信号メモリ７に代えて、無線デジタル信号から周波数変換したＩＦ信号に対応する参照信号を格納する参照信号メモリ７Ａを設けた。
（３）無線デジタル信号に基づいて無線通信システムを判定する無線デジタル信号判定部３に代えて、Ａ／Ｄ変換器２ＡからのＩＦ信号に基づいて無線通信システムを判定するＩＦデジタル信号判定部３Ａを設けた。
【００６１】
図９に図示した第２の実施形態においても、一例として３つの異なる無線通信システムＭ１，Ｍ２，Ｍ３が利用可能なマルチモード無線通信装置であり、３つの異なる無線通信システムＭ１，Ｍ２，Ｍ３では異なる無線周波数を使用する例を示している。このため、３つの無線回路９ａ，９ｂ，９ｃを備えている。
【００６２】
次いで、図９を参照して、第２の実施形態に係るマルチモード無線通信装置の動作について以下に説明する。
【００６３】
まず、スイッチ４により無線回路９ａをアンテナ素子１と接続し、スイッチ５によりＡ／Ｄ変換器２に接続する。これにより、アンテナ素子１で受信された無線アナログ信号は無線回路９ａによりＩＦアナログ信号に変換される一方、Ａ／Ｄ変換器２によりＩＦデジタル信号に変換される。このＩＦデジタル信号についてＩＦデジタル信号判定部３Ａで無線通信システムＭ１，Ｍ２，Ｍ３の判定を行う。判定の方法は、第１の実施形態のマルチモード無線通信装置と同様であり、参照信号メモリ７Ａに格納され、各無線通信システムＭ１，Ｍ２，Ｍ３のＩＦデジタル信号に対応する参照信号を参照して行う。判定を行った結果、無線通信システムＭ１と判定された場合は、スイッチ４とスイッチ５をそのまま接続し、さらに判定された無線通信システムＭ１の情報を信号処理部６に伝達し無線通信システムＭ１に対応した復調等のベースバンド処理を信号処理部６において行う。逆に、無線通信システムＭ１と異なる場合は、スイッチ４とスイッチ５を無線回路９ｂに接続して、無線通信システムＭ２に対する判定を行う。判定を行った結果、無線通信システムＭ２と判定された場合は、スイッチ４とスイッチ５をそのまま接続し、さらに判定された無線通信システムＭ２の情報を信号処理部６に伝達し無線通信システムＭ１に対応した復調等のベースバンド処理を信号処理部６において行う。さらに異なる場合はスイッチ４とスイッチ５を無線回路９ｃに接続して、無線通信システムＭ３に対する判定を行う。無線通信システム３Ｍと判定された場合は、スイッチ４とスイッチ５をそのまま接続し、その無線通信システムＭ３の情報を信号処理部６に伝達し無線通信システムＭ３に対応した復調等のベースバンド処理を行う。しかしながら、すべて異なる場合は、スイッチ４とスイッチ５を接点ｄ側に切り換えてすべての無線回路９ａ，９ｂ，９ｃから切り離す。
【００６４】
以上に示したように、第２の実施形態のマルチモード無線通信装置によれば、簡単な構成で複数の無線通信システムを切り換え可能な無線機を実現することができる。上述の第１の実施形態のマルチモード無線通信装置の場合、利用される無線通信システムＭ１，Ｍ２，Ｍ３の中で最も高い無線周波数の２倍以上の速度でＡ／Ｄ変換を行うことができるＡ／Ｄ変換器２が必要である。しかしながら、高速通信が利用可能なマイクロ波帯やミリ波帯を利用した無線通信システムでは、周波数が数ＧＨｚ〜数十ＧＨｚに及ぶために非常に高速なＡ／Ｄ変換器２が必要である。このような高速なＡ／Ｄ変換器２は非常に高価であり、また、サイズも大きい。従って、低周波数変換されたＩＦ信号をデジタル信号化して判定する本実施形態は、特にＡ／Ｄ変換器２Ａの低価格化と小型化に適している。また、スイッチ４とスイッチ５に無線回路９ａ，９ｂ，９ｃが連動している場合、３つの無線回路９ａ，９ｂ，９ｃを常に動作させる必要が無いために消費電力の軽減効果もある。
【００６５】
以上の第２の実施形態においては、３つの無線通信システムＭ１，Ｍ２，Ｍ３があり、３つの無線回路９ａ，９ｂ，９ｃがある場合を例に挙げて説明したが、本発明はこれに限らず、例えば、マルチモード無線通信装置が利用する無線通信システムが２つの場合、もしくは４つ以上の複数の場合も可能である。
【００６６】
以上の第２の実施形態においては、順次参照信号を取得し無線通信システムＭ１，Ｍ２，Ｍ３を判定するが、本発明はこれに限らず、例えば、並列比較が可能なＩＦデジタル信号判定部３Ａを用いることにより、一度にすべての無線通信システムＭ１，Ｍ２，Ｍ３との判定が可能になる。以上のように構成することにより、判定の高速化が可能になり、リアルタイムの制御が可能になる。
【００６７】
図１０は第２の実施形態の第１の変形例に係るマルチモード無線通信装置の構成を示すブロック図である。上述の第２の実施形態においては、３つの無線通信システムＭ１，Ｍ２，Ｍ３があり３つの無線回路９ａ，９ｂ，９ｃがある場合を例に挙げて説明したが、本発明はこれに限らず、例えば、マルチモード無線通信装置が利用する無線通信システムが複数ある場合においても、周波数が同じ場合や、周波数が異なる複数の無線通信システムの場合においても広帯域に渡り動作する広帯域無線回路９Ａを使用できる場合、図１０に示すように、広帯域無線回路９Ａが１つである場合も可能である。この場合においては、スイッチ４及び５を設ける必要がなく、これに伴い、ＩＦデジタル信号判定部３Ａａもスイッチ４及び５を制御する必要がないことを除いて、ＩＦデジタル信号判定部３Ａと同様に動作する。以上のように構成することにより、スイッチ４とスイッチ５が不要になり、部品点数の削減により無線通信装置を小型化できる。また、スイッチ４及び５の動作電力も不要となり消費電力の削減の効果もある。
【００６８】
図１１は第２の実施形態の第２の変形例に係るマルチモード無線通信装置の構成を示すブロック図である。上述の第２の実施形態においては、アナログのＩＦ回路により構成されたマルチモード無線通信装置を例に挙げて説明したが、本発明はこれに限らず、図１１に示すように、無線回路９ａ，９ｂ，９ｃからのＩＦアナログ信号をＡ／Ｄ変換器２ＡによりＡ／Ｄ変換したＩＦデジタル信号をデジタル信号処理回路２２により直接にデジタル信号処理することも可能である。デジタル信号処理回路２２は、例えば、図６に示す構成を有する。ここで、ＩＦデジタル信号判定部３Ａｂは、信号処理部６に代えてデジタル信号処理回路２２を制御することを除いて、ＩＦデジタル信号判定部３Ａと同様に動作する。以上のように構成することにより、回路規模の小型化により無線通信装置を小型化できる。
【００６９】
図１２は第２の実施形態の第３の変形例に係るマルチモード無線通信装置の構成を示すブロック図である。上述の第２の実施形態において、マルチモード無線通信装置が利用する無線通信システムが複数ある場合においても、周波数が同じ場合や、周波数が異なる複数の無線通信システムの場合においても広帯域に渡り動作する広帯域無線回路９Ａを使用できる場合、図１２に示すように、広帯域無線回路９Ａを１つのみ設ければよい。このとき、ＩＦデジタル信号判定部３Ａｃは、スイッチ４及び５を制御する必要がないことを除き、ＩＦデジタル信号判定部３Ａｂと同様に動作する。以上のように構成することにより、スイッチ４とスイッチ５が不要になり、部品点数の削減により無線通信装置を小型化できる。また、スイッチ４及び５の動作電力も不要となり消費電力の削減の効果もある。
【００７０】
以上の第２の実施形態においては、ＩＦ信号の時間波形により無線デジタル信号判定部３Ａによる判定を行っているが、本発明はこれに限らず、例えば、図７の変形例と同様に、ＩＦデジタル信号の周波数領域のスペクトラムに基づいて無線通信システムＭ１，Ｍ２，Ｍ３の判定を行ってもよい。以上のように構成することにより、当該マルチモード無線通信装置で利用可能な複数の無線通信システムが異なる周波数を使用している場合に判定がきわめて容易になるという利点がある。
【００７１】
以上の第２の実施形態においては、各無線回路９ａ，９ｂ，９ｃ毎に混合器１２と局部発振器１３を備えた構成にしているが、本発明はこれに限らず、例えば、図８の変形例に示すように、信号分配器２８により１つの局部発振器２７からの局部発振信号を分配して使用してもよい。この場合、局部発振器２７の数を減らすことが可能になり消費電力の低減効果が得られる。また、すべての無線回路９ａ，９ｂ，９ｃの混合器２５へ入力される無線アナログ信号を１つの局部発振器２７の局部発振信号を分配する必要はなく、場合によっては２つの混合器２５への入力信号のみを１つの局部発振器２７からの信号を分配して使用してもよい。
【００７２】
図１３は、第２の実施形態の第４の変形例に係るマルチモード無線通信装置の構成を示すブロック図である。上述の第２の実施形態においては、スイッチ４とスイッチ５により切り換える構成としているが、本発明はこれに限らず、例えば、図１３に示すように、スイッチ４に代えて信号分配器２９を設け、スイッチ５に代えて信号合成器３０を設けてもよい。この場合、無線デジタル信号判定部３Ａｃには、各ＩＦ周波数を検出するためのデジタルフィルタを備える必要がある。当該デジタルフィルタは、例えば、ＦＩＲフィルタ（Finite Impulse Response）やＩＩＲフィルタ（Infinite Impulse Response）等により構成することができる。以上のように構成することにより、無線周波数帯で動作可能なスイッチ４及び５を削減し、より簡単な構造の信号合成器２９や信号分配器３０を使用することができる。
【００７３】
＜第３の実施形態＞
図１４は本発明の第３の実施形態に係るマルチモード無線通信装置の構成を示すブロック図である。第３の実施形態に係るマルチモード無線通信装置が、図９の第２の実施形態に係るマルチモード無線通信装置に比較して以下の点が異なる。
（１）信号処理部６に代えて、各無線回路９ａ，９ｂ，９ｃの後段にそれぞれ信号処理部６ａ，６ｂ，６ｃを設けた。
（２）各信号処理部６ａ，６ｂ，６ｃの後段にスイッチ５及び、復調後のベースバンド信号をＡ／Ｄ変換するＡ／Ｄ変換器２Ｂを設けた。
（３）参照信号メモリ７Ａに代えて、各無線通信システムＭ１，Ｍ２，Ｍ３のベースバンドの参照信号を格納する参照信号メモリ７Ｂを設けた。
（４）ＩＦデジタル信号判定部３Ａに代えて、各無線通信システムＭ１，Ｍ２，Ｍ３のベースバンドデジタル信号に基づいて無線通信システムＭ１，Ｍ２，Ｍ３の判定を行うベースバンドデジタル信号判定部３Ｂを設けた。
【００７４】
図１４の第３の実施形態においても、一例として３つの異なる無線通信システムＭ１，Ｍ２，Ｍ３が利用可能なマルチモード無線通信装置であり、３つの異なる無線通信システムＭ１，Ｍ２，Ｍ３では異なる無線周波数を使用する例を示している。このため、３つの無線回路９ａ，９ｂ，９ｃと、３つの信号処理部６ａ，６ｂ，６ｃを備えている。
【００７５】
次いで、図１４を参照して、第３の実施形態に係るマルチモード無線通信装置の動作について以下に説明する。
【００７６】
図１４において、まず、スイッチ４により無線回路９ａをアンテナ素子１と接続する。このときスイッチ５は信号処理部６ａなどと切り離されている。これにより、アンテナ素子１で受信された無線アナログ信号は無線回路９ａと信号処理部６ａによりベースバンド信号に変換された後、Ａ／Ｄ変換器２Ｂによりベースバンドデジタル信号に変換される。当該ベースバンドデジタル信号に基づいてベースバンドデジタル信号判定部３Ｂにおいて無線通信システムの判定を行う。判定の方法は、第１の実施形態のマルチモード無線通信装置と同様である。判定を行った結果、無線通信システムＭ１と判定された場合は、スイッチ４はそのまま接続し、スイッチ５を信号処理部６ａに接続し、信号処理部６ａからのベースバンド信号はスイッチ５の出力端子を介して外部回路に出力される。逆に、異なる場合はスイッチ４を無線回路９ｂに接続して、無線通信システムＭ２に対する判定を行う。その判定結果により、無線通信システムＭ２と判定された場合は、スイッチ４はそのまま接続し、スイッチ５を信号処理部６ｂに接続する。さらに異なる場合はスイッチ４を無線回路９ｃに接続して、無線通信システムＭ３に対する判定を行う。無線通信システムＭ３と判定された場合は、スイッチ４はそのまま接続し、スイッチ５を信号処理部６ｃに接続する。しかしながら、すべて異なる場合は、スイッチ４とスイッチ５をそれぞれ接点ｄ側に切り換えてアンテナ素子１及び信号処理部６ａ，６ｂ，６ｃから切り離す。
【００７７】
以上に示したように、本実施形態のマルチモード無線通信装置によれば、簡単な構成で複数の無線通信システムを切り換え可能な無線機を実現することができる。第１の実施形態のマルチモード無線通信装置の場合、利用される無線通信システムの中で最も高い無線周波数の２倍以上の早さでＡ／Ｄ変換を行うことができるＡ／Ｄ変換器２が必要である。しかしながら、高速通信が利用可能なマイクロ波帯やミリ波帯を利用した無線通信システムでは、周波数が数ＧＨｚ〜数十ＧＨｚに及ぶために非常に高速なＡ／Ｄ変換器２が必要である。また、第２の実施形態においても、同様にＩＦ周波数の最も高い無線周波数の２倍以上の早さでＡ／Ｄ変換を行うことができるＡ／Ｄ変換器２Ａが必要である。ＩＦ周波数が高速な場合には、このような高速なＡ／Ｄ変換器２Ａは非常に高価であり、また、サイズも大きい。従って、低周波数変換されたベースバンド信号をデジタル信号化して判定する本実施形態は、特にＡ／Ｄ変換器２Ｂの低価格化と小型化に適している。また、スイッチ４と無線回路９ａ，９ｂ，９ｃが連動している場合、３つの無線回路９ａ，９ｂ，９ｃを常に動作させる必要が無いために消費電力の軽減効果もある。
【００７８】
以上の第３の実施形態においては、３つの無線通信システムＭ１，Ｍ２，Ｍ３と、３つの無線回路９ａ，９ｂ，９ｃがある場合を例に挙げて説明したが、本発明はこれに限らず、例えば、マルチモード無線通信装置が利用する無線通信システムが２つの場合、もしくは４つ以上の複数の場合も可能である。
【００７９】
以上の実施形態においては、順次参照信号を取得し無線通信システムを判定する手順を例に挙げて説明したが、本発明はこれに限らず、例えば、並列比較が可能なデジタル計算機のベースバンドデジタル信号判定部３Ｂを用いることにより、一度にすべての無線通信システムＭ１，Ｍ２，Ｍ３の判定が可能になる。以上のように構成することにより、無線通信システムの判定の高速化が可能になり、リアルタイムの制御が可能になる。
【００８０】
図１５は、第３の実施形態の第１の変形例に係るマルチモード無線通信装置の構成を示すブロック図である。上述の第３の実施形態においては、アナログの信号処理部６ａ，６ｂ，６ｃにより構成されアナログのベースバンド信号を出力するマルチモード無線通信装置を例に挙げて説明したが、本発明はこれに限らず、例えば、図１５に示すように、信号処理部６ａ，６ｂ，６ｃからスイッチ５を介して出力されるアナログのベースバンド信号をＡ／Ｄ変換器２Ｂによりベースバンドデジタル信号に変換し、この信号を外部回路に出力するとともに、ベースバンドデジタル信号判定部３Ｂに出力してもよい。
【００８１】
上述の第３の実施形態においては、ベースバンドデジタル信号の時間波形に基づいてベースバンドデジタル信号判定部３Ｂによる判定を行っているが、本発明はこれに限らず、例えば、図７の変形例に示すように、周波数領域のスペクトラムに基づいて無線通信システムＭ１，Ｍ２，Ｍ３の判定を行ってもよい。このとき、参照信号メモリ７Ｂには、無線システムＭ１，Ｍ２，Ｍ３毎の参照スペクトラムが格納されている。以上のように構成することにより、当該マルチモード無線通信装置で利用可能な複数の無線通信システムが異なる周波数を使用している場合に判定がきわめて容易になるという利点がある。
【００８２】
上述の第３の実施形態においては、図２に示すように、無線回路９ａ，９ｂ，９ｃ毎に混合器１２と局部発振器１３を備えた構成にしているが、本発明はこれに限らず、例えば、図８に示すように、信号分配器２８により１つの局部発振器１３からの局部発振信号を分配して使用することも可能である。この場合、局部発振器１３の数を減らすことが可能になり消費電力の低減効果が得られる。また、すべての無線回路９ａ，９ｂ，９ｃの混合器１２へ入力される信号を１つの局部発振器１３からの局部発振信号を分配する必要はなく、場合によっては２つの混合器１２への入力信号のみを１つの局部発振器１３からの局部発振信号を分配して使用してもよい。
【００８３】
＜他の変形例＞
図１６は、第１の実施形態の第３の変形例に係るマルチモード無線通信装置の構成を示すブロック図である。以上の第１、第２及び第３の実施形態において、１つのアンテナ素子１が備えた場合を例にして説明したが、本発明はこれに限らず、例えば、図１６に示すように、各無線通信システムＭ１，Ｍ２，Ｍ３毎にそれぞれアンテナ素子１ａ，１ｂ，１ｃを備えてもよい。すなわち、アンテナ素子１及びスイッチ４に代えて、３つのアンテナ素子１ａ，１ｂ，１ｃを備え、各アンテナ素子１ａ，１ｂ，１ｃをそれぞれ直接に無線回路９ａ，９ｂ，９ｃに接続する。以上のように構成することにより、スイッチ４や信号分配器３０は不要になるという利点がある。また、無線通信システムＭ１，Ｍ２，Ｍ３毎に最適な放射特性を持つアンテナ素子１ａ，１ｂ，１ｃを備えることができる。また、すべての無線通信システムＭ１，Ｍ２，Ｍ３毎にそれぞれアンテナ素子１ａ，１ｂ，１ｃを備えるのではなく、一部のアンテナ素子のみを共通化してもよい。
【００８４】
図１７は第１の実施形態の第４の変形例に係るマルチモード無線通信装置の構成を示すブロック図である。以上の第１、第２及び第３の実施形態において、各無線通信システムＭ１，Ｍ２，Ｍ３のためにそれぞれ複数のアンテナ素子１ａ，１ｂ，１ｃを備え、設置位置が互いに異なる複数のアンテナ素子１ａ，１ｂ，１ｃを用いたスペースダイバーシチを構成してもよい。以上のように構成することにより、高感度の受信特性が可能になる。
【００８５】
例えば、図１７に示すように、複数のアンテナ素子１ａ，１ｂ，１ｃと、スイッチ４０と、３つの電力検出器５１ａ，５１ｂ，５１ｃと、電力比較を行うコントローラ４１とを備えて構成できる。図１７において、アンテナ素子１ａで受信された無線アナログ信号はスイッチ４０の接点ａを介して広帯域無線回路９Ａに出力されるとともに、電力検出器５１ａによりその電力値が検出され、そのデータがコントローラ４１に出力される。また、アンテナ素子１ｂで受信された無線アナログ信号はスイッチ４０の接点ｂを介して広帯域無線回路９Ａに出力されるとともに、電力検出器５１ｂによりその電力値が検出され、そのデータがコントローラ４１に出力される。さらに、アンテナ素子１ｃで受信された無線アナログ信号はスイッチ４０の接点ｃを介して広帯域無線回路９Ａに出力されるとともに、電力検出器５１ｃによりその電力値が検出され、そのデータがコントローラ４１に出力される。コントローラ４１は３つのアンテナ素子１ａ，１ｂ，１ｃで受信された３つの無線アナログ信号の電力値を比較して最大の電力値を有する無線アナログ信号を受信したアンテナ素子を選択するようにスイッチ４０を切り換える。以上のように構成することにより、安定した受信電力の取得が可能になる。
【００８６】
図１８は第１の実施形態の第５の変形例に係るマルチモード無線通信装置の構成を示すブロック図である。以上の第１、第２及び第３の実施形態において、図１８に示すように、複数のアンテナ素子１ａ，１ｂ，１ｃと、可変増幅器４２ａ，４２ｂ，４２ｃ（正又は負の増幅度を有する増幅器であり、減衰器としても動作可能である。）と、可変移相器４３ａ，４３ｂ，４３ｃと、信号合成器４５と、受信信号検波器５２ａ，５２ｂ，５２ｃと、コントローラ４４とを備えて、最大比合成ダイバーシチアンテナ装置を構成することができる。
【００８７】
図１８において、各受信信号検波器５２ａ，５２ｂ，５２ｃによりそれぞれ各アンテナ素子１ａ，１ｂ，１ｃで受信した無線アナログ信号の位相と振幅を検出してそのデータをコントローラ４４に出力され、コントローラ４４は、公知の適応制御方法を用いて、３つのアンテナ素子１ａ，１ｂ，１ｃで受信した３つの無線アナログ信号を最大比合成するように、可変増幅器４２ａ，４２ｂ，４２ｃの増幅度と、可変移相器４３ａ，４３ｂ，４３ｃの移相量とを制御する。すなわち、各アンテナ素子１ａ，１ｂ，１ｃからの無線アナログ信号に対して無線アナログ信号間の比の増幅又は減衰を可変増幅器４２ａ，４２ｂ，４２ｃにより与える一方、可変移相器４３ａ，４３ｂ，４３ｃにより、各アンテナ素子１ａ，１ｂ，１ｃからの無線アナログ信号の位相を揃え同相合成を行う信号合成器４５に出力する。さらに、信号合成器４５は入力される３つの無線アナログ信号を最大比合成であって、同相合成した後、図１のスイッチ４及びＡ／Ｄ変換器２に出力する。以上のように構成することにより、安定した受信電力の取得が可能になる。
【００８８】
図１９は第１の実施形態の第６の変形例に係るマルチモード無線通信装置の構成を示すブロック図である。図１のスイッチ４の前段において、アンテナ素子１に代えて、図１８のアンテナ素子１ａ，１ｂ，１ｃ、可変増幅器４２ａ，４２ｂ，４２ｃ、可変移相器４３ａ，４３ｂ，４３ｃ及び信号合成器４５を備え、無線デジタル信号判定部３ｃは、無線通信システムの判定を行うとともに、信号合成器４５からの無線アナログ信号が最大となるように、公知の適応制御方法を用いて、可変増幅器４２ａ，４２ｂ，４２ｃの各増幅度及び可変移相器４３ａ，４３ｂ，４３ｃの各移相量を適応制御することを特徴としている。これにより、アダプティブアレーアンテナ装置を構成している。
【００８９】
以上のように構成することにより、複数のアンテナ素子１ａ，１ｂ，１ｃを用いた場合の第１、第２及び第３の実施形態及びその変形例において受信した無線アナログ信号の無線通信システムを判定するときに求めたウエイトの振幅と位相を可変増幅器４２ａ，４２ｂ，４２ｃと可変移相器４３ａ，４３ｂ，４３ｃにより与えることにより、所望波のみならず干渉波も受信した場合に干渉波を除去するアダプティブアレーアンテナ装置を実現できる。以上のように構成することにより、無線通信システムの判定のみならず、干渉波を除去することにより高品質の無線通信を実現することが可能になる。ここで、干渉波とはマルチパス環境において遅れて到来する遅延波や、所望波と同じ周波数では異なるベースバンド信号の到来波等のことである。
【００９０】
図２０は図１１の変形例に係る無線回路９Ｂの構成を示すブロック図である。図１１の構成において、図２０に示すように、高周波増幅器１１と混合器１２との間に、可変増幅器４２及び可変移相器４３を挿入し、それらの増幅度及び移相量をコントローラ４４により適応制御する。
【００９１】
図２１は図２０の第１の変形例に係る無線回路９Ｃの構成を示すブロック図である。図２０の構成において、図２１に示すように、高周波増幅器１１と可変増幅器４２とを一体化して、可変増幅器４２で増幅処理をさせてもよい。これにより、部品点数を減らすことも可能である。
【００９２】
図２２は図２０の第２の変形例に係る無線回路９Ｄの構成を示すブロック図である。図２０の構成において、図２２に示すように、ＩＦ帯域通過フィルタ１４の後段において、可変増幅器４２及び可変移相器４３を挿入し、それらの増幅度及び移相量をコントローラ４４により適応制御してもよい。
【００９３】
図２３は図６の変形例に係るデジタル信号処理回路２２Ａの構成を示すブロック図である。図６の構成において、図２３に示すように、高周波増幅器２４と混合器２５との間に、可変増幅器４２及び可変移相器４３を挿入し、それらの増幅度及び移相量をコントローラ４４により適応制御してもよい。これにより、デジタル信号処理によるアダプティブ制御が可能になり、ＩＣ化による部品点数を削減できる。
【００９４】
さらに、以上の実施形態及びその変形例において、参照信号メモリ７，７Ａ，７Ｂに格納されている参照信号を、無線回線又は有線回線を介して所定のサーバ装置からダウンロードし、格納された参照信号を書き換える機能を参照信号メモリ７，７Ａ，７Ｂ及びそのコントローラに持たせることも可能である。さらに、デジタル信号処理回路２２は、複数の無線通信システムに対応した復調回路を含めたベースバンド信号処理のプログラムを含む、例えばデジタルシグナルプロセッサ（ＤＳＰ）により構成され、当該デジタル信号処理回路２２において、復調回路を含めたベースバンド信号処理のプログラムを書き換える機能を持たせてもよい。これにより、最新の通信システムの利用が可能になる。
【００９５】
以上説明したように、本発明の実施形態及びその変形例によれば、従来技術に比較して簡単な構造で複数の無線システムを利用可能なマルチモード無線通信装置を実現できる。
【図面の簡単な説明】
【００９６】
【図１】本発明の第１の実施形態に係るマルチモード無線通信装置の構成を示すブロック図である。
【図２】図１の無線回路９（９ａ，９ｂ，９ｃ）の構成を示すブロック図である。
【図３】図１の無線デジタル信号判定部３によって実行される無線デジタル信号判定処理を示すフローチャートである。
【図４】第１の実施形態の第１の変形例に係るマルチモード無線通信装置の構成を示すブロック図である。
【図５】第１の実施形態の第２の変形例に係るマルチモード無線通信装置の構成を示すブロック図である。
【図６】図５のデジタル信号処理回路２２の構成を示すブロック図である。
【図７】図５のマルチモード無線通信装置の一部回路の変形の構成を示すブロック図である。
【図８】図６のデジタル信号処理回路２２の一部回路の変形例の構成を示すブロック図である。
【図９】本発明の第２の実施形態に係るマルチモード無線通信装置の構成を示すブロック図である。
【図１０】第２の実施形態の第１の変形例に係るマルチモード無線通信装置の構成を示すブロック図である。
【図１１】第２の実施形態の第２の変形例に係るマルチモード無線通信装置の構成を示すブロック図である。
【図１２】第２の実施形態の第３の変形例に係るマルチモード無線通信装置の構成を示すブロック図である。
【図１３】第２の実施形態の第４の変形例に係るマルチモード無線通信装置の構成を示すブロック図である。
【図１４】本発明の第３の実施形態に係るマルチモード無線通信装置の構成を示すブロック図である。
【図１５】第３の実施形態の第１の変形例に係るマルチモード無線通信装置の構成を示すブロック図である。
【図１６】第１の実施形態の第３の変形例に係るマルチモード無線通信装置の構成を示すブロック図である。
【図１７】第１の実施形態の第４の変形例に係るマルチモード無線通信装置の構成を示すブロック図である。
【図１８】第１の実施形態の第５の変形例に係るマルチモード無線通信装置の構成を示すブロック図である。
【図１９】第１の実施形態の第６の変形例に係るマルチモード無線通信装置の構成を示すブロック図である。
【図２０】図１１の変形例に係る無線回路９Ｂの構成を示すブロック図である。
【図２１】図２０の第１の変形例に係る無線回路９Ｃの構成を示すブロック図である。
【図２２】図２０の第２の変形例に係る無線回路９Ｄの構成を示すブロック図である。
【図２３】図６の変形例に係るデジタル信号処理回路２２Ａの構成を示すブロック図である。
【図２４】従来技術に係るマルチモード無線通信コンバータ１３０の構成を示すブロック図である。
【符号の説明】
【００９７】
１，１ａ，１ｂ，１ｃ…アンテナ素子、
２，２Ａ，２Ｂ…Ａ／Ｄ変換器、
３，３ａ，３ｂ，３ｃ…無線デジタル信号判定部、
３Ａ，３Ａａ，３Ａｃ…ＩＦデジタル信号判定部、
３Ｂ…ベースバンドデジタル信号判定部、
４，５…スイッチ、
６，６ａ，６ｂ，６ｃ…信号処理部、
７，７Ａ，７Ｂ…参照信号メモリ、
９，９ａ，９ｂ，９ｃ…無線回路、
９Ａ…広帯域無線回路、
９Ｂ，９Ｃ…無線回路、
１０…高周波帯域通過フィルタ、
１１…高周波増幅器、
１２…混合器、
１３…局部発振器、
１４…ＩＦ帯域通過フィルタ、
２２…デジタル信号処理回路、
２３…デジタル帯域通過フィルタ、
２４…高周波増幅器、
２５…混合器、
２６…デジタル復調器、
２７…離散フーリエ変換器、
２８，２９…信号分配器、
３０…信号合成器、
４０…スイッチ、
４１…コントローラ、
４２，４２ａ，４２ｂ，４２ｃ…可変増幅器、
４３，４３ａ，４３ｂ，４３ｃ…可変移相器、
４４…コントローラ、
４５…信号合成器、
５１ａ，５１ｂ，５１ｃ…電力検出器、
５２ａ，５２ｂ，５２ｃ…受信信号検波器。
【図１】
2005142892.tif 000003
【図２】
2005142892.tif 000004
【図３】
2005142892.tif 000005
【図４】
2005142892.tif 000006
【図５】
2005142892.tif 000007
【図６】
2005142892.tif 000008
【図７】
2005142892.tif 000009
【図８】
2005142892.tif 000010
【図９】
2005142892.tif 000011
【図１０】
2005142892.tif 000012
【図１１】
2005142892.tif 000013
【図１２】
2005142892.tif 000014
【図１３】
2005142892.tif 000015
【図１４】
2005142892.tif 000016
【図１５】
2005142892.tif 000017
【図１６】
2005142892.tif 000018
【図１７】
2005142892.tif 000019
【図１８】
2005142892.tif 000020
【図１９】
2005142892.tif 000021
【図２０】
2005142892.tif 000022
【図２１】
2005142892.tif 000023
【図２２】
2005142892.tif 000024
【図２３】
2005142892.tif 000025
【図２４】
2005142892.tif 000026